(57)【要約】【課題】ＩＰベースの無線アクセスネットワーク内において、各ネットワーク領域内の環境に適応させつつ、ＩＰパケットのリアルタイム性等のトラヒック状況を考慮したＩＰパケットの優先送信制御を行う。【解決手段】本発明は、基地局２、制御装置３等から構成されるネットワーク内でパケットデータを順次転送する無線アクセスネットワークシステムであって、ネットワーク内に設定されたパケットデータ転送経路に関わる各局における転送優先度を設定する優先度決定部３４と、パケットデータに転送経路に関わるＲＡＢ及びＲＡＢにおける転送優先度に関する情報を転送用情報として付加するＩＰ処理部１６と、付加された情報に基づいて、パケットデータを転送する優先送信キュー部１７，２１とを備える。【選択図】      図１
2004179878.tif 000002
【特許請求の範囲】
【請求項１】
無線基地局、基地局制御装置等から構成されるネットワーク内でパケットデータを順次転送する無線アクセスネットワークシステムであって、
前記パケットデータの前記ネットワーク内における転送経路を設定する転送経路設定手段と、
前記転送経路設定手段により設定された前記転送経路に関わる各局における転送優先度を設定する優先度設定手段と、
前記パケットデータに前記転送経路に関わる各局及び各局における転送優先度に関する情報を転送用情報として付加するパケット加工手段と、
前記パケット加工手段により付加された情報に基づいて、パケットデータを転送する転送手段と
を備えることを特徴とする無線アクセスネットワークシステム。
【請求項２】
前記優先度設定手段は、転送に係るデータの特性がリアルタイム性が要求されるクラスに属するか、リアルタイム性が要求されないクラスに属するかに応じて、優先度を設定することを特徴とする請求項１に記載の無線アクセスネットワークシステム。
【請求項３】
前記パケットデータ上の所定フィールドの構成に関するフィールド情報を通知するフィールド情報通知手段を備え、
前記パケット加工手段は、通知された前記フィールド情報に基づいて、前記所定フィールドに対して、前記転送用情報を付加する
ことを特徴とする請求項１又は２に記載の無線アクセスネットワークシステム。
【請求項４】
前記パケット加工手段は、
通知された前記フィールド情報に基づいて、前記ネットワーク全体で共通な形式により前記所定フィールドを構成し、前記転送用情報を付加する共通設定手段と、
通知された前記フィールド情報に基づいて、所定のネットワーク領域で用いられる形式で前記所定フィールドを再構成し、前記転送用情報を付加する再設定手段と
を有することを特徴とする請求項３に記載の無線アクセスネットワークシステム。
【請求項５】
前記優先度設定手段は、前記所定フィールドに定義された、パケット遅延性、スループット量、信頼性、コストのいずれを優先するかを示すフラグ信号に基づいて優先度を設定することを特徴とする請求項４に記載の無線アクセスネットワークシステム。
【請求項６】
無線基地局、基地局制御装置等から構成されるネットワーク内でパケットデータを順次転送する無線アクセス方法であって、
前記パケットデータの前記ネットワーク内における転送経路を設定するステップ（１）と、
ステップ（１）で設定された前記転送経路に関わる各局における転送優先度を設定するステップ（２）と、
前記パケットデータに、前記転送経路に関わる各局及び各局における転送優先度に関する情報を転送用情報として付加するステップ（３）と、
付加された情報に基づいて、パケットデータを転送するステップ（４）と
を備えることを特徴とする無線アクセス方法。
【請求項７】
前記ステップ（３）では、転送に係るデータの特性がリアルタイム性が要求されるクラスに属するか、リアルタイム性が要求されないクラスに属するかに応じて、優先度を設定することを特徴とする請求項６に記載の無線アクセス方法。
【請求項８】
前記パケットデータ上の所定フィールドの構成に関するフィールド情報を通知するステップをさらに有し、
前記ステップ（３）では、通知された前記フィールド情報に基づいて、前記所定フィールドに対して、前記転送用情報を付加する
ことを特徴とする請求項６又は７に記載の無線アクセス方法。
【請求項９】
前記ステップ（３）では、
通知された前記フィールド情報に基づいて、前記ネットワーク全体で共通な形式により前記所定フィールドを構成し、前記転送用情報を付加するステップと、
通知された前記フィールド情報に基づいて、所定のネットワーク領域で用いられる形式で前記所定フィールドを再構成し、前記転送用情報を付加するステップと
を選択的に実行することを特徴とする請求項８に記載の無線アクセス方法。
【請求項１０】
前記ステップ（２）では、前記所定フィールドに定義された、パケット遅延性、スループット量、信頼性、コストのいずれを優先するかを示すフラグ信号に基づいて優先度を設定することを特徴とする請求項９に記載の無線アクセス方法。
【請求項１１】
ネットワーク内に配置され、パケットデータを順次転送する制御装置であって、
前記ネットワーク内における転送経路に関わる各局における転送優先度を設定する優先度設定手段と、
前記パケットデータに前記転送経路に関わる各局及び各局における転送優先度に関する情報を転送用情報として付加するパケット加工手段と、
前記パケット加工手段により付加された情報に基づいて、パケットデータを転送する転送手段と
を備えることを特徴とする制御装置。
【請求項１２】
前記優先度設定手段は、転送に係るデータの特性がリアルタイム性が要求されるクラスに属するか、リアルタイム性が要求されないクラスに属するかに応じて、優先度を設定することを特徴とする請求項１１に記載の制御装置。
【請求項１３】
前記パケットデータ上の所定フィールドの構成に関するフィールド情報を通知するフィールド情報通知手段を備え、
前記パケット加工手段は、通知された前記フィールド情報に基づいて、前記所定フィールドに対して、前記転送用情報を付加する
ことを特徴とする請求項１１又は１２に記載の制御装置。
【請求項１４】
前記パケット加工手段は、
通知された前記フィールド情報に基づいて、前記ネットワーク全体で共通な形式により前記所定フィールドを構成し、前記転送用情報を付加する共通設定手段と、
通知された前記フィールド情報に基づいて、所定のネットワーク領域で用いられる形式で前記所定フィールドを再構成し、前記転送用情報を付加する再設定手段と
を有することを特徴とする請求項１３に記載の制御装置。
【請求項１５】
前記優先度設定手段は、前記所定フィールドに定義された、パケット遅延性、スループット量、信頼性、コストのいずれを優先するかを示すフラグ信号に基づいて優先度を設定することを特徴とする請求項１４に記載の制御装置。
【発明の詳細な説明】
【０００１】
【発明の属する技術分野】
本発明は、無線基地局や基地局制御装置から構成され、ネットワーク内の制御データ、ユーザデータ転送をＩＰパケットで行う無線アクセスネットワークシステム、無線アクセス方法及び制御装置に関する。
【０００２】
【従来の技術】
近年において、次世代移動体通信の標準化団体である３ｒｄ  Ｇｅｎｅｒａｔｉｏｎ  Ｐａｒｔｎｅｒｓｈｉｐ  Ｐｒｏｊｅｃｔ（３ＧＰＰ）における、「３ＧＰＰ  無線アクセスネットワーク」の標準仕様である、「Ｒｅｌｅａｓｅ  ５ＲＡＮ  ＩＰ  Ｔｒａｎｓｐｏｒｔ」では、無線アクセスネットワーク内の制御情報やユーザデータをＩＰパケットで転送する方式について規定しており、この規定によれば、基地局制御装置、無線基地局（ＮｏｄｅＢ）で、ＩＰパケットＤＣＰ（Ｄｉｆｆｓｅｒｖ  Ｃｏｄｅ  Ｐｏｉｎｔ）を設定することとなっている（例えば、非特許文献１参照）。
【０００３】
詳述すると、図１２（ａ）に示すように、従前にあっては、ＩＰパケットの第２オクテットにある８ビットのＴｏＳフィールドにＱｏＳに関する情報として、Ｐｒｅｃｅｄｅｎｃｅ  の３ビットを使って優先順位を指定し、次の４つのフラグを使ってパケットの取り扱いを指定している。
【０００４】
（１）ｌｏｗ  ｄｅｌａｙ      遅延を最小とする
（２）ｔｈｒｏｕｇｈｐｕｔ    スループットを最大にする
（３）ｒｅｌｉａｂｉｌｉｔｙ  信頼性を最大にする
（４）ｍｉｎ  ｃｏｓｔ        コストを最小にする
これに対して、上記Ｄｉｆｆｓｅｒｖでは、図１２（ｂ）に示すように、上述したＴｏＳフィールドを６ビットのＤＳ（Ｄｉｆｆｅｒｅｎｔｉａｔｅｄ  Ｓｅｒｖｉｃｅ）フィールドとして定義し直し、ＤＣＰ（Ｄｉｆｆｓｅｒｖ  Ｃｏｄｅ  Ｐｏｉｎｔ）というＤＳドメインにローカルな値を記入して、所定のネットワーク領域内におけるパケットの取り扱いを指定している。
【０００５】
【非特許文献１】
３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＩＰ  ｔｒａｎｓｐｏｒｔ  ｉｎ  ＵＴＲＡＮ，  ”３ＧＰＰ  ＴＲ  ２５．９３３  （２００２−０９）  Ｔｅｃｈｎｉｃａｌ  Ｒｅｐｏｒｔ”，  ２００２年９月，  ｐ１０９
【０００６】
【発明が解決しようとする課題】
しかしながら、従前のＩＰパケットにおけるＴｏＳ（Ｔｙｐｅ  ｏｆ  Ｓｅｒｖｉｃｅ）については、ＩＰパケットヘの設定も含め、決定されたパケット構成の無線制御装置や基地局への通知方法、無線回線送信処理に関する事項は、規定されていない。
【０００７】
また、上述した３ＧＰＰにおける標準仕様では、各ネットワーク領域内におけるＤＣＰの決定方法や、決定されたパケット構成の無線制御装置や基地局への通知方法、無線回線送信処理に関するＤＣＰの関与方法などについては何ら規定されていない。
【０００８】
このため、現状ではＩＰベースの無線アクセスネットワーク内でＩＰパケットの優先送信制御を行えず、例えば、遅延に厳しいリアルタイム性を要求されるトラヒックパケットを優先送信できないため、トラヒック要求条件を満たすことができなかった。
【０００９】
そこで、本発明は、上記問題を解決すべくなされたものであり、ＩＰベースの無線アクセスネットワーク内において、各ネットワーク領域内の環境に適応させつつ、ＩＰパケットのリアルタイム性等のトラヒック状況を考慮したＩＰパケットの優先送信制御を行う無線アクセスネットワークシステム、無線アクセス方法及び制御装置を提供することを目的とする。
【００１０】
【課題を解決するための手段】
上記課題を解決するために、本発明は、無線基地局、基地局制御装置等から構成されるネットワーク内でパケットデータを順次転送する際に、パケットデータのネットワーク内における転送経路を設定し、この設定された転送経路に関わる各局における転送優先度を設定し、パケットデータに、転送経路に関わる各局及び各局における転送優先度に関する情報を転送用情報として付加し、パケット加工手段により付加された情報に基づいて、パケットデータを転送する。
【００１１】
なお、本発明においては、優先度の設定は、制御装置や基地局に設けられたデータベースに格納された、トラヒッククラスに基づくＤＣＰ又はＴｏＳのＩＰ優先度を決定するための優先度判定テーブルを利用することができる。
【００１２】
このような本発明によれば、転送経路を設定した時点で、この転送経路上に位置する基地局や制御装置、中継局等におけるＩＰパケットの取り扱いに関する情報として、各局における転送優先度をパケットに付加するため、転送経路に応じた優先度によりパケットを転送することができる。
【００１３】
上記発明においては、転送に係るデータの特性がリアルタイム性が要求されるクラスに属するか、リアルタイム性が要求されないクラスに属するかに応じて、優先度を設定することが好ましい。
【００１４】
この場合には、例えば、上記優先度設定を、ｃｏｎｖｅｒｓａｔｉｏｎａｌ、又はｓｔｒｅａｍｉｎｇのリアルタイムトラヒックを示すトラヒッククラスを、Ｉｎｔｅｒａｃｔｉｖｅ又はＢａｃｋｇｒｏｕｎｄの非リアルタイムトラヒックより高くするなど、パケットのリアルタイム要求に応じた優先度の設定が可能となる。
【００１５】
上記発明においては、パケットデータ上の所定フィールドの構成に関するフィールド情報を通知し、この通知されたフィールド情報に基づいて、所定フィールドに対して、転送用情報を付加することとが好ましい。
【００１６】
この場合には、例えば、３ＧＰＰなどパケットデータ上に定められた所定のフィールド（ＴｏＳフィールドやＤＣＰ）等を利用して転送用情報を伝達することができる。すなわち、各ネットワーク領域で定められたローカルな形式を通知し合うことにより、各ネットワーク領域における優先度を考慮したデータ転送が可能となる。
【００１７】
上記発明においては、通知されたフィールド情報に基づいて、ネットワーク全体で共通な形式により所定フィールドを構成し、転送用情報を付加するステップと、通知されたフィールド情報に基づいて、所定のネットワーク領域で用いられる形式で所定フィールドを再構成し、転送用情報を付加するステップとを選択的に実行する。
【００１８】
この場合には、例えばＴｏＳフィールド等のようにネットワーク全体で共通な形式を用いて運用されているシステムや、ＤＣＰ等のように所定のネットワーク領域毎に設定されたローカルな形式を用いて運用されているシステムが混在する場合にも本発明を適用することができる。
【００１９】
上記発明においては、所定フィールドに定義された、パケット遅延性、スループット量、信頼性、コストのいずれを優先するかを示すフラグ信号に基づいて優先度を設定することが好ましい。
【００２０】
この場合には、既存のＩＰパケットに設けられたＴｏＳフィールドを利用してＩＰ優先度を設定することができ、既存のネットワークと次世代のネットワークを混在させて運用することができる。
【００２１】
【発明の実施の形態】
以下に、本発明の実施形態に係る無線アクセスネットワークシステムについて詳細に説明する。図１は、本実施形態に係る無線アクセスネットワークシステムの全体構成及びデータの流れを示す説明図である。
【００２２】
図１（ａ）に示すように、本実施形態に係る無線アクセスネットワークシステムは、移動端末１と、移動端末１が在圏するエリアを管轄する基地局２と、基地局２の動作を管理・制御する制御装置３と、コアネットワークへの接続を制御するＳＧＳＮ（Ｓｅｒｖｉｎｇ  ＧＰＲＳ  Ｓｕｐｐｏｒｔ  Ｎｏｄｅ）４とから概略構成される。
【００２３】
ＳＧＳＮ４は、移動端末１からの要求に応じて、コアネットワーク内におけるＩＰパケット転送路設定制御を行う装置であり、設定された転送路にリンクされるＳＧＳＮ４と移動端末１との間に位置する基地局や制御局上の転送路であるＲＡＢ（Ｒａｄｉｏ  Ａｃｃｅｓｓ  Ｂｅａｒｅｒ）設定を無線アクセスネットワーク側に指示する。
【００２４】
制御装置３は、図３に示すように、基地局２からのデータをＳＧＳＮ４に対して転送し、ＳＧＳＮ４からのデータを基地局２に転送する機能を備えるとともに、データベース３１を有しており、このデータベース３１に、優先度判定テーブルＴ１、ＲＡＢ識別テーブルＴ２及び送信先ポート情報テーブルＴ３を格納している。また、この制御装置３は、ＲＡＮ側受信処理部１９と、ＩＰ処理部２０と、コア側優先送信キュー部３５と、コア側優先送信処理部３６とを備えている。
【００２５】
優先度判定テーブルＴ１は、図４に示すように、ＲＡＢに関するトラヒッククラスから、各パケット上のＤＣＰ又はＴｏＳのＩＰ優先度を決定するための情報テーブルであり、予めトラヒッククラスに応じた優先度が設定されている。例えば、トラヒッククラスが、リアルタイム性を要求されるリアルトラヒックに属するｃｏｎｖｅｒｓａｔｉｏｎａｌ又はｓｔｒｅａｍｉｎｇであれば、リアルタイム性が要求されない非リアルタイムトラヒックに属するＩｎｔｅｒａｃｔｉｖｅ又はＢａｃｋｇｒｏｕｎｄより、優先度が高くなるよう設定されている。
【００２６】
また、制御装置３は、ＲＡＢに対する基地局２やＳＧＳＮ４との送受信ポートの割当を行うポート割当部３２と、設定したＲＡＢに関するＲＡＢ識別テーブル及び送信先ポート情報テーブルを設定するテーブル設定部３３とを有している。
【００２７】
ここで、ＲＡＢ識別テーブルＴ２は、図６に示すように、受信ＩＰパケットのＩＰアドレス、ＵＤＰポート番号、ＴＥＩＤ（Ｔｕｎｎｅｌｉｎｇ  Ｅｎｄｐｏｉｎｔ  ＩＤｅｎｔｉｆｉｅｒ）から該当するＲＡＢを特定するための情報テーブルである。また、送信先ポート情報テーブルＴ３は、図７に示すように、所定のＲＡＢに対する基地局側、ＳＧＳＮ側の送受信ポートの情報と、そのＲＡＢのＩＰ優先度を参照するための情報テーブルである。
【００２８】
さらに、制御装置３は、受信したメッセージに含まれるトラヒッククラス情報と、データベース３１上に保持される優先度判定テーブルを参照して設定されているトラヒッククラスに応じたＤＣＰ又はＴｏＳのＩＰ優先度を決定する優先度決定部３４を有している。
【００２９】
ＲＡＮ側受信処理部１９は、ＩＰパケット１２を受信した場合、その受信ポートのＩＰアドレス、ＵＤＰポート番号よりＲＡＢ識別テーブルＴ２を参照して該当のＲＡＢを特定する機能を有する。
【００３０】
ＩＰ処理部２０は、特定されたＲＡＢをキーとして送信先のＳＧＳＮ４側送受信ポート情報のみを取得し、そのポート情報のＩＰアドレス、ＵＤＰポート番号を設定したＩＰパケットに生成し直し、受信時のＩＰパケットに設定されていたＩＰ優先度に該当するコア側優先送信キュー部３５にキューイングするモジュールである。コア側優先送信処理部３６は、各パケットに設定されたＩＰ優先度に応じた優先送信処理を行うモジュールである。
【００３１】
一方、基地局２は、図２に示すように、ＲＡＢに対する無線チャネルと制御装置３に対する送受信ポートを割当てるポート割当部を有するとともに、データベース２１を有しており、このデータベース２１には、移動端末１と制御装置３とのデータ送受信を可能とするための、無線チャネル用ＲＡＢ識別テーブルＴ４、ＲＡＮ送受信ポート用ＲＡＢ識別テーブルＴ５、基地局送受信ポート情報テーブルＴ６とが格納されている。また、この基地局２は、無線受信処理部１５と、ＩＰ処理部１６と、ＲＡＮ側優先送信キュー部１７と、ＲＡＮ側優先送信処理部１８とを備えている。
【００３２】
さらに、基地局２は、無線チャネル用ＲＡＢ識別テーブルＴ４、ＲＡＮ送受信ポート用ＲＡＢ識別テーブルＴ５、基地局送受信ポート情報テーブルＴ６を設定するテーブル設定部２３とを有する。
【００３３】
ここで、無線チャネル用ＲＡＢ識別テーブルＴ４は、図８に示すように、受信無線チャネルのセル番号、チャネル番号から該当するＲＡＢを特定するための情報テーブルである。また、ＲＡＮ送受信ポート用ＲＡＢ識別テーブルＴ５は、図９に示すように、受信ＩＰパケットのＩＰアドレス、ＵＤＰポートから該当ＲＡＢを特定するための情報テーブルである。基地局送受信ポート情報テーブルＴ６は、図１０に示すように、あるＲＡＢに該当する移動端末１側の無線チャネル情報、制御装置３側の送受信ポートの情報とそのＲＡＢのＩＰ優先度を参照するための情報テーブルである。
【００３４】
無線受信処理部１５は、移動端末１からユーザデータ１１を受信した場合、受信無線チャネルを特定し、無線チャネル用ＲＡＢ識別テーブルＴ４を参照して、その無線チャネルに該当するＲＡＢを特定するモジュールである。
【００３５】
ＩＰ処理部１６は、特定されたＲＡＢに基づき基地局送受信ポート情報テーブルＴ６を参照して制御装置３のポート情報、ＩＰ優先度を取得するとともに、そのポート情報のＩＰアドレス、ＵＤＰポート番号及びＩＰ優先度を設定したＩＰパケットに生成し直し、前記ＩＰ優先度に該当するＲＡＮ側優先送信キュー部１７にキューイングするモジュールである。ＲＡＮ側優先送信処理部１８は、例えば、ＷＦＱ（Ｗｅｉｇｈｔ  Ｆａｉｒ  Ｑｕｅｕｅ）により、ＲＡＮ側優先送信キュー部１７の高優先キューにキューイングされているＩＰパケットを、低優先キューにキューイングされているものより高い比率で送信し優先送信するモジュールである。
【００３６】
（コネクション設定時の処理）
上記構成を有する本実施形態に係る無線アクセスネットワークシステムにおいて、移動端末１からＳＧＳＮ４までのユーザデータＩＰパケット転送コネクション設定時のＩＰ優先度設定処理について図１（ａ）及び（ｂ）を用いて説明する。
【００３７】
先ず、移動端末１から無線アクセスネットワークに対してＩＰパケット転送路設定を要求する３ＧＰＰ規定の「Ａｃｔｉｖａｔｅ  ＰＤＰ  Ｃｏｎｔｅｘｔ  Ｒｅｑｕｅｓｔ」であるメッセージ５を送信する。このメッセージ５は、設定パケット転送路で転送されるＩＰパケットのトラヒッククラスを示すトラヒッククラス情報に関するＱｏＳ（Ｑｕａｌｉｔｙ  ｏｆ  Ｓｅｒｖｉｃｅ）情報要素が含まれる。基地局２及び制御装置３では、このメッセージ５をコアネットワークのＳＧＳＮ４に転送する。
【００３８】
ＳＧＳＮ４では、コアネットワーク内のＩＰパケット転送路設定制御を行った後（Ｓ１０１）、制御装置３にその転送路にリンクされるＳＧＳＮ４、移動端末１間のＲＡＢ設定を指示するため３ＧＰＰ規定の「ＲＡＢ  Ａｓｓｉｇｎｍｅｎｔ  Ｒｅｑｕｅｓｔ」であるメッセージ６を制御装置３に送信する。このメッセージ６は、メッセージ５に設定されていたトラヒッククラス情報を含む。
【００３９】
制御装置３では、受信したメッセージ６に含まれるトラヒッククラス情報と、データベース３１に保持される優先度判定テーブルＴ１を参照し、この優先度判定テーブルに設定されているトラヒッククラスに応じたＤＣＰ又はＴｏＳのＩＰ優先度を、優先度決定部３４により決定し、それらをデータベース３１に保持する（Ｓ１０２）。
【００４０】
次に、制御装置３は、設定ＲＡＢのための基地局２、ＳＧＳＮ４との送受信ポートの割当てを行い、設定したＲＡＢに関してデータベース３１上のＲＡＢ識別テーブルＴ２、及び送信先ポート情報テーブルＴ３を設定し、基地局２、ＳＧＳＮ４とのデータ送受信を行えるようにする（Ｓ１０３）。
【００４１】
その後、制御装置３は、自装置側のユーザデータ送受信ポートのＩＰアドレス、ＵＤＰポート番号を設定した３ＧＰＰ規定の「Ｒａｄｉｏ  Ｌｉｎｋ  Ｓｅｔｕｐ  Ｒｅｑｕｅｓｔ」であるメッセージ７に、前記決定したＩＰ優先度情報を、図５に示すように、設定して基地局２に送信する。次に、基地局２では設定するＲＡＢに無線チャネルと制御装置３に対する送受信ポートを割当てるとともに、無線チャネル用ＲＡＢ識別テーブルＴ４、ＲＡＮ送受信ポート用ＲＡＢ識別テーブルＴ５、基地局送受信ポート情報テーブルＴ６を設定し、移動端末１，制御装置３とのデータ送受信を行えるようにする（Ｓ１０４）。
【００４２】
その後、基地局２は制御装置３に対して無線リンクの設定が完了したことを示す３ＧＰＰ規定の「Ｒａｄｉｏ  Ｌｉｎｋ  Ｓｅｔｕｐ  Ｒｅｓｐｏｎｓｅ」であるメッセージ８を送信する。制御装置３ではＲＡＢ設定が完了したことを示す「ＲＡＢ  Ａｓｓｉｇｎｍｅｎｔ  Ｒｅｓｐｏｎｓｅ」であるメッセージ９をＳＧＳＮ４に送信し、ＳＧＳＮ４ではＩＰパケット転送経路設定完了したことを通知するため移動端末１に「Ａｃｔｉｖａｔｅ  ＰＤＰ  Ｃｏｎｔｅｘｔ  Ａｃｃｅｐｔ」であるメッセージ１０を送信し、ＩＰパケット転送路設定手順を終了する。
【００４３】
（パケット送受信時の処理）
次いで、ユーザデータＩＰパケット転送コネクション設定後のユーザデータＩＰパケット送受信時の優先送信制御について説明する。図１１は、ＩＰパケット送受信時の動作を示す説明図である。
【００４４】
先ず、移動端末１からユーザデータ１１を受信した場合、基地局２では無線受信処理部１５で受信無線チャネルを特定し（Ｓ２０１）、無線チャネル用ＲＡＢ識別テーブルＴ４を参照して、その無線チャネルに該当するＲＡＢを特定する（Ｓ２０２）。
【００４５】
次に、受信データは、ＩＰ処理部１６に送信され、前記特定されたＲＡＢに基づき基地局送受信ポート情報テーブルＴ６を参照して制御装置３のポート情報、ＩＰ優先度を取得する（Ｓ２０３）。そして、そのポート情報のＩＰアドレス、ＵＤＰポート番号、ＩＰ優先度を設定したＩＰパケットに生成し直し（Ｓ２０４）、前記ＩＰ優先度に該当するＲＡＮ側優先送信キュー部１７にキューイングする。
【００４６】
ＲＡＮ側優先送信処理部１８では、例えば、ＷＦＱ（Ｗｅｉｇｈｔ  ＦａｉｒＱｕｅｕｅ）により、ＲＡＮ側優先送信キュー部１７の高優先キューにキューイングされているＩＰパケットを、低優先キューにキューイングされているものより高い比率で送信し優先送信する。このようにして基地局２から図１１のＩＰパケット１２を制御装置３に送信する（Ｓ２０５）。
【００４７】
次に、制御装置３では、ＩＰパケット１２を受信した場合、ＲＡＮ側受信処理部１９にて、その受信ポートのＩＰアドレス、ＵＤＰポート番号よりＲＡＢ識別テーブルＴ２を参照して該当のＲＡＢを特定する。そしてＩＰ処理部２０にてそのＲＡＢをキーとして送信先のＳＧＳＮ側送受信ポート情報のみを取得する（Ｓ２０７）。
【００４８】
そして、そのポート情報のＩＰアドレス、ＵＤＰポート番号を設定したＩＰパケットに生成し直し（Ｓ２０８）、受信時のＩＰパケットに設定されていたＩＰ優先度に該当するコア側優先送信キュー部３５にキューイングする。コア側優先送信処理部３６では、前記基地局２のＲＡＮ側優先送信処理部１８と同様にＩＰ優先度に応じた優先送信処理を行う（Ｓ２０９）。このようにして制御装置  ３から図１１のＩＰパケット１３をＳＧＳＮ４に送信する。
【００４９】
（作用・効果）
本実施形態に係る無線アクセスネットワークシステムによれば、無線アクセスネットワークにおいて、転送ＩＰパケット上に設定されているＤＣＰやＴｏＳなどのＩＰ優先度に基づき優先送信制御を行うため、制御装置３において、各パケットのトラヒッククラスに応じたＤＣＰ又はＴｏＳのＩＰ優先度を決定することにより、ネットワーク全体に共通の形式や、所定のネットワーク領域に応じた形式により、適正な優先度を設定することができる。
【００５０】
また、本実施形態では、優先度設定を、予めｃｏｎｖｅｒｓａｔｉｏｎａｌ、又はｓｔｒｅａｍｉｎｇのリアルタイムトラヒックを示すｔｒａｆｆｉｃ    ｃｌａｓｓを、Ｉｎｔｅｒａｃｔｉｖｅ又はＢａｃｋｇｒｏｕｎｄの非リアルタイムトラヒックより高くなるようにしたため、送受信されるパケットのリアルタイム性の要求に応じた優先度設定を適切に行うことができる。
【００５１】
【発明の効果】
以上説明したように、本発明によれば、ＩＰベースのＲＡＮ内でＤＣＰやＴｏＳを用いたＩＰパケットの優先送信制御を行うことができ、それにより、例えば遅延に厳しいリアルタイム性を要求されるトラヒックパケットを優先送信することができ、トラヒック要求条件に基づいたパケット送信を行うことができる。
【図面の簡単な説明】
【図１】実施形態に係る無線アクセスネットワークシステムの全体構成及びコネクション設定時におけるデータの流れを示す説明図である。
【図２】実施形態に係る基地局の構成を示すブロック図である。
【図３】実施形態に係る制御装置の構成を示すブロック図である。
【図４】実施形態に係る優先度判定テーブルの内容を示す説明図である。
【図５】本実施形態に係るＩＰ優先度情報の内容を示す説明図である。
【図６】実施形態に係るＲＡＢ識別テーブルの内容を示す説明図である。
【図７】実施形態に係る送信先ポート情報テーブルの内容を示す説明図である。
【図８】実施形態に係る無線チャネル用ＲＡＢ識別テーブルの内容を示す説明図である。
【図９】実施形態に係るＲＡＮ送受信ポート用ＲＡＢ識別テーブルの内容を示す説明図である。
【図１０】実施形態に係る基地局送受信ポート情報テーブルの内容を示す説明図である。
【図１１】実施形態に係る無線アクセスネットワークシステムの全体構成及びＩＰパケット送受信時におけるデータの流れを示す説明図である。
【図１２】従来のＩＰパケットのデータ構成を示す説明図である。
【符号の説明】
Ｔ１…優先度判定テーブル
Ｔ２…ＲＡＢ識別テーブル
Ｔ３…送信先ポート情報テーブル
Ｔ４…無線チャネル用ＲＡＢ識別テーブル
Ｔ５…ＲＡＮ送受信ポート用ＲＡＢ識別テーブル
Ｔ６…基地局送受信ポート情報テーブル
１…移動端末
２…基地局
３…制御装置
４…ＳＧＳＮ
５〜１０…メッセージ
１１…ユーザデータ
１２，１３…ＩＰパケット
１５…無線受信処理部
１６…ＩＰ処理部
１７…ＲＡＮ側優先送信キュー部
１８…ＲＡＮ側優先送信処理部
１９…ＲＡＮ側受信処理部
２０…ＩＰ処理部
２１…データベース
２２…ポート割当部
２３…テーブル設定部
３１…データベース
３２…ポート割当部
３３…テーブル設定部
３４…優先度決定部
３５…コア側優先送信キュー部
３６…コア側優先送信処理部
【図１】
2004179878.tif 000003
【図２】
2004179878.tif 000004
【図３】
2004179878.tif 000005
【図４】
2004179878.tif 000006
【図５】
2004179878.tif 000007
【図６】
2004179878.tif 000008
【図７】
2004179878.tif 000009
【図８】
2004179878.tif 000010
【図９】
2004179878.tif 000011
【図１０】
2004179878.tif 000012
【図１１】
2004179878.tif 000013
【図１２】
2004179878.tif 000014